(57)【要約】【課題】大型の植木鉢やプランタ等の園芸容器に使用する場合でも、最低限の材料量で成形することができ、材料コストを低減できると共に、平面的に成形することができ、成形コストをも低減する園芸容器用底敷の提供。【解決手段】園芸容器用底敷は、一対の台形状平板部１１及び一対の三角形状平板部１２を平面形状に成形する一方、使用時には、台形状平板部１１及び三角形状平板部１２を折り曲げて中空の略三角柱状となるよう、雄側係止部３１を雌側係止部３２に係止して組み立てる。長縁部２１及び短縁部２２により園芸容器の底壁に載置される支持板部を形成する。【選択図】図１
2007166937.tif 000002
【特許請求の範囲】
【請求項１】
園芸容器の底壁の水抜き孔を包囲するよう底壁上に配置される園芸容器用底敷であって、
上底より下底を長くした同一形状の等脚台形状をなす一対の台形状平板部を、その上底で互いに折り曲げ自在に一体的に接合すると共に、各台形状平板部に多数の排水孔を貫通形成し、
一対の台形状平板部の底の両側の合計２対の対辺において、各側で隣接する２つの対辺のうちの一方の対辺である接合用対辺に、それぞれ、前記台形状平板部の対辺と同一の長さの一対の等辺を有する二等辺三角形状をなす三角形状平板部を、前記一対の等辺のうちの一方の等辺である接合用等辺で折り曲げ自在に一体的に接合すると共に、各三角形状平板部に多数の排水孔を貫通形成し、
前記各三角形状平板部の接合用等辺と相対する等辺である係止用等辺と、当該三角形状平板部の係止用等辺が対向すると共に前記台形状平板部の接合用対辺と隣接する対辺である係止用対辺とに、互いに係止自在な係止部をそれぞれ一体形成し、
前記一対の台形状平板部を互いに接近するよう折り曲げると共に、前記一対の三角状平板部を前記台形状平板部に接近するよう折り曲げ、前記三角状平板部の係止部を前記台形状平板部の対向する係止部に係止することにより、前記台形状平板部及び前記三角状平板部を、両底面を対称に傾斜させて傾斜面とし、かつ、前記一対の台形状平板部の下底及び前記一対の三角形状平板部の底辺間に矩形状の開口を形成する中空略三角柱状に組立自在とし、
前記組立時の前記開口が、園芸容器の底壁の水抜き孔の外側を完全に包囲するよう、前記台形状平板部平板部及び前記三角形状平板部の寸法を設定したことを特徴とする園芸容器用底敷。
【請求項２】
前記一対の三角形状平板部は、前記一対の台形状平板部の上底間の境界線の中心点に関して点対称となるよう、前記一対の台形状平板部に折り曲げ自在に接合されることを特徴とする請求項１記載の園芸容器用底敷。
【請求項３】
更に、前記台形状平板部の下底から同一平面内で延びるよう一体的に突出形成されると共に、前記台形状平板部の下底との境界線で折り曲げ自在とされた平板状の長縁部と、
前記三角形状平板部の底辺から同一平面内で延びるよう一体的に突出形成されると共に、前記三角形状平板部の底辺との境界線で折り曲げ自在とされた平板状の短縁部とを備え、
前記長縁部及び短縁部には、前記台形状平板部の排水孔及び前記三角形状平板部の排水孔より大径の排水孔を複数貫通形成し、
前記台形状平板部及び前記三角形状平板部を互いに折り曲げて前記中空略三角柱状に組立てたときに、前記台形状平板部及び前記三角形状平板部に対して前記長縁部及び前記短縁部を外側に折り曲げ、前記長縁部及び前記短縁部により前記園芸容器の底壁に載置自在な支持板部を形成自在としたことを特徴とする請求項１または２記載の園芸容器用底敷。
【請求項４】
前記台形状平板部の各排水孔は前記台形状平板部の高さ方向に延びる長方形状をなし、多数の長方形状の排水孔が前記台形状平板部の全面にわたって格子状となるよう縦横に整列して配置され、
前記三角状平板部の各排水孔は前記三角形状平板部の高さ方向に延びる長方形状をなし、多数の長方形状の排水孔が前記三角形状平板部の全面にわたってピラミッド状となるよう縦横に整列して配置され、
前記台形状平板部及び前記三角形状平板部を互いに折り曲げて前記中空略三角柱状に組立てて園芸容器の底壁に載置したときに、前記台形状平板部の全ての排水孔及び前記三角形状平板部の全ての排水孔が上下方向に延びるよう配置されることを特徴とする請求項１乃至３のいずれか１項記載の園芸容器用底敷。
【請求項５】
前記係止部は、前記三角形状平板部の係止用等辺に所定間隔で一体形成された雄側係止部と、前記台形状平板部の係止用対辺において前記雄側係止部と対応する位置に一体形成された雌側係止部とからなり、
前記雄側係止部は、前記三角形状平板部の係止用等辺から同一平面内で略直交して突出する軸部と、前記軸部の先端に一体形成された大径の頭部とを有し、
前記雌側係止部は、前記台形状平板部の係止用対辺から同一平面内で略直交して突出すると共に、前記雄側係止部の軸部の直径と略同一径の円弧状の開口を有し、
前記両台形状平板部を前記三角形状平板部の頂点の内角と略同一角度に折り曲げると共に、前記三角形状平板部を前記台形状平板部に向かって折り曲げて接合するときに、前記雄側係止部の軸部が前記雌側係止部の円弧状の開口内に挿着されると共に、前記雄側係止部の円板部が前記雌側係止部の円弧状の開口の外側面周縁に掛止されて前記三角形状平板部が前記台形状平板部に着脱自在に接合されるようにし、
前記台形状平板部及び前記三角形状平板部を同一平面に展開した状態で、前記三角形状平板部の最も頂点側の前記雄側係止部の頭部が前記両台形状平板部間の境界線の延長線上に位置するよう、前記三角形状平板部の頂点の内角を前記台形状平板部の上底の頂点の外角より所定角度小さい角度としたことを特徴とする請求項１乃至４のいずれか１項記載の園芸容器用底敷。
【請求項６】
前記長縁部を前記台形状平板部に対して内側に折り曲げ自在とすると共に、前記長縁部を前記組立状態の台形状平板部及び三角形状平板部間に形成される前記矩形状の開口の矩形状と略同一の矩形板状に形成し、前記長縁部を外側に折り曲げることにより前記支持板部として使用自在とすると共に、前記長縁部を内側に折り曲げて前記組立状態の台形状平板部及び三角形状平板部間に形成される前記矩形状の開口の全体を閉塞する閉塞板部として使用自在としたことを特徴とする請求項１乃至５のいずれか１項記載の園芸容器用底敷。
【発明の詳細な説明】
【技術分野】
【０００１】
本発明は、比較的大型の植木鉢やプランタ等の園芸用容器の内部の底壁上面に載置され、園芸用容器の底壁に設けた排水孔からの土の流出を防止すると共に、園芸用容器内部からの排水を可能にする園芸容器用底敷に関する。
【背景技術】
【０００２】
一般に、植木鉢やプランタ等の園芸用容器は、底壁（底部）に水抜き用の穴（排水孔）を貫通形成し、植木や草花等を植栽した状態の園芸用容器に水を注入したときに、排水孔から過剰な水を外部に排出するようになっている。一方、園芸用容器に栽培用の土を充填する際に、排水孔から土が外部に落下するのを防止するため、園芸用容器の底壁に一定厚みで底敷石を敷き詰めたり、園芸用容器の底壁の排水孔の全体を覆うよう底敷ネット（底敷網）を底壁に載置したりしている。
【０００３】
従来、この種の底敷ネットに類似する技術として、例えば、特許文献１に記載の技術がある。
【特許文献１】特開２０００−１０２３２７号公報
【０００４】
特許文献１には、植木鉢の排水性及び断熱性を向上させる鉢植え用スノコが開示されている。この鉢植え用スノコは、植木鉢本体の底部に装着され、全面に平板部排水穴が設けられた平板部と、平板部の外周縁から立ち上げて形成されると共に上下方向全長に渡って壁部排水穴が設けられた立ち上げ壁部と、立ち上げ壁部の上端部に形成され、植木鉢本体との間に断熱層を形成する隔離部と、平板部を下方へ向けて細る円錐状又は角錐状に窪ませて形成されると共に、その上下方向全長に亘って縦長の脚部排水穴が設けられ、平板部に達した水を導いて植木鉢本体の底部側へ排出させる脚部とから構成されている。そして、内部に土等を入れて草木等を植える植木鉢本体と前記鉢植え用スノコとで、植木鉢を構成するようになっている。
【発明の開示】
【発明が解決しようとする課題】
【０００５】
しかし、特許文献１に記載の技術は、植木鉢の底部全体を覆うために、使用対象となる植木鉢の底部面積（寸法）に応じた寸法となり、植木鉢が大型となる場合はこれに比例して大型となる。よって、特許文献１に記載の技術は、植木鉢の寸法に比例して使用する材料量が増大し、材料コストの点で改善する余地がある。また、特許文献１に記載の技術は、多数の異形状部分や凹部または孔（穴）を立体的に一体成形してなる構造であるため、全体の構造が複雑になり、射出成形等により製品としての鉢植え用スノコを成形する場合に、成形コストの点でも改善する余地がある。
【０００６】
そこで、本発明は、大型の植木鉢やプランタ等の園芸容器に使用する場合でも、最低限の材料量で成形することができ、材料コストを低減できると共に、平面的に成形することができ、成形コストをも低減することができる一方、園芸容器内部の土からの排水効率を高め、かつ、植栽した植物の根系への外気供給効率を従来と比較して大幅に増大することができる園芸容器用底敷の提供を課題とする。
【課題を解決するための手段】
【０００７】
本発明に係る園芸容器用底敷は、園芸容器の底壁の水抜き孔を包囲するよう底壁上に配置される園芸容器用底敷である。園芸用底敷では、上底より下底を長くした同一形状の等脚台形状をなす一対の台形状平板部が、その上底で互いに折り曲げ自在に一体的に接合されると共に、各台形状平板部に多数の排水孔が貫通形成されている。また、一対の台形状平板部の底の両側の合計２対の対辺において、各側で隣接する２つの対辺のうちの一方の対辺である接合用対辺には、それぞれ、前記台形状平板部の対辺と同一の長さの一対の等辺を有する二等辺三角形状をなす三角形状平板部が、前記一対の等辺のうちの一方の等辺である接合用等辺で折り曲げ自在に一体的に接合されると共に、各三角形状平板部に多数の排水孔が貫通形成されている。更に、前記各三角形状平板部の接合用等辺と相対する等辺である係止用等辺と、当該三角形状平板部の係止用等辺が対向すると共に前記台形状平板部の接合用対辺と隣接する対辺である係止用対辺とに、互いに係止自在な係止部がそれぞれ一体形成されている。そして、前記一対の台形状平板部を互いに接近するよう折り曲げると共に、前記一対の三角状平板部を前記台形状平板部に接近するよう折り曲げ、前記三角状平板部の係止部を前記台形状平板部の対向する係止部に係止することにより、前記台形状平板部及び前記三角状平板部を、両底面を対称に傾斜させて傾斜面とし、かつ、前記一対の台形状平板部の下底及び前記一対の三角形状平板部の底辺間に矩形状の開口を形成する中空略三角柱状に組立自在としている。更にまた、前記組立時の前記開口が、園芸容器の底壁の水抜き孔の外側を完全に包囲するよう、前記台形状平板部平板部及び前記三角形状平板部の寸法を設定している。
【発明の効果】
【０００８】
本発明に係る園芸容器用底敷は、大型の植木鉢やプランタ等の園芸容器に使用する場合でも、最低限の材料量で成形することができ、材料コストを低減できると共に、平面的に成形することができ、成形コストをも低減することができる一方、園芸容器内部の土からの排水効率を高め、かつ、植栽した植物の根系への外気供給効率を従来と比較して大幅に増大することができる。
【発明を実施するための最良の形態】
【０００９】
以下、本発明を実施するための最良の形態（以下、実施の形態という）を説明する。なお、実施の形態を通じ、同一の部材、要素または部分には同一の符号を付して、その説明を省略する。
【００１０】
図１〜図１０に示すように、本実施の形態に係る園芸容器用底敷は、大型の植木鉢やプランタ等の園芸容器の底壁の水抜き孔を包囲するよう底壁上に配置（載置）されるものである。園芸容器用底敷は、組立時（使用時）の突起部を構成する突起部組立部１１，１２と、組立時の支持板部を構成する支持板部用縁部２１，２２とを備える。突起部用組立部１１，１２は、２個の台形状の側面と２個の三角形状の側面とからなり、前記４個の側面を全て展開した平面形状（２個の台形の上底を互いに連結すると共に、台形の一斜辺（対辺）に二等辺三角形または正三角形の一斜辺（等辺）をそれぞれ連結させた形状）の平板状をなす。詳細には、突起部用組立部は、一対の台形状平板部１１及び一対の三角形状平板部１２を備える。一対の台形状平板部１１は、上底より下底を長くした同一形状の等脚台形状をなす。そして、一対の台形状平板部１１は、その上底で一体的に接合（一体成形）されると共に、その上面側（組立時の外面側）における上底間の境界線の全長に凹状の直線溝１１ａを形成し、互いに内側へと容易に折り曲げ自在とされている。更に、各台形状平板部１１には、その全面にわたって多数の排水孔１１ｂが貫通形成されている。一対の三角形状平板部１２は、台形状平板部１１の対辺と同一の長さの一対の等辺を有する二等辺三角形状をなす。三角形状平板部１２は、互いに接合された一対の台形状平板部１１の底（上底及び下底）の両側の合計２対の対辺において、各側で隣接する２つの対辺のうちの一方の対辺である接合用対辺１１ｘに、それぞれ、前記一対の等辺のうちの一方の等辺である接合用等辺１２ｘで一体的に接合（一体形成）されると共に、その上面側（組立時の外面側）における台形状平板部１１の接合用対辺１１ｃとの間の境界線の全長に凹状の直線溝１２ａを形成し、それらを互いに内側へと容易に折り曲げ自在としている。また、各三角形状平板部１２には、その全面にわたって多数の排水孔１２ｂが貫通形成されている。
【００１１】
一対の三角形状平板部１２は、一対の台形状平板部１１の上底間の境界線の中心点に関して点対称となるよう、一対の台形状平板部１１に折り曲げ自在に接合されている。即ち、一対の三角形状平板部１２の一方（図１中の左側）は、その接合用等辺１２ｘを一方の台形状平板部１１（図１中の左側）の左右（図１中の上下）の対辺のうちの一方（図１中の上側）である接合用対辺１１ｘに接合している。また、一対の三角形状平板部１２の他方（図１中の右側）は、その接合用等辺１２ｘを他方の台形状平板部１１（図１中の右側）の左右（図１中の上下）の対辺のうち、前記一方の台形状平板部１１の接合用等辺１１ｘが配置される側（左側）と反対側（右側）に位置する等辺である接合用対辺１１ｘに接合している。対称配置することにより、成形容易かつ組立時に対称組立可能で作業性を向上することができる。
【００１２】
支持板部用縁部は、長縁部２１及び短縁部２２からなる。長縁部２１は、台形状平板部１１の下底から同一平面内で延びるよう一体的に突出形成（一体成形）された平板状（長い帯板状）をなす。また、図２に示すように、長縁部２１は、その下面側（組立時の内面側）における台形状平板部１１の下底との間の境界線の全長に凹状の直線溝２１ａを形成し、台形状平板部１１の下底との境界線で外側へと容易に折り曲げ自在とされている。短縁部２２は、三角形状平板部１２の底辺から同一平面内で延びるよう一体的に突出形成（一体成形）された平板状（短い帯板状）をなす。また、短縁部２２は、図２に示すように、その下面側（組立時の内面側）における三角形状平板部１２の底辺との間の境界線の全長に凹状の直線溝２２ａを形成し、三角形状平板部１２の底辺との境界線で外側へと容易に折り曲げ自在とされている。長縁部２１及び短縁部２２には、台形状平板部の排水孔及び前記三角形状平板部の排水孔より大径（２倍以上の面積）の排水孔２１ｂ，２２ｂが複数または多数貫通形成されている。
【００１３】
台形状平板部１１の各排水孔１１ｂは台形状平板部１１の台形の高さ方向に延びる長方形状をなし、多数の長方形状の排水孔１１ｂが台形状平板部１１の全面にわたって格子状（マトリックス状）となるよう縦横に整列して配置されている。また、三角状平板部１２の各排水孔１２ｂは、三角形状平板部１２の二等辺三角形の高さ方向に延びる長方形状をなし、多数の長方形状の排水孔１２ｂが三角形状平板部１２の全面にわたってピラミッド状となるよう縦横に整列して配置されている。なお、台形状平板部１１の外周縁部に配置される排水孔１１ｂは三角形状等、台形状平板部１１の対辺（斜辺）の傾斜に沿った異形のものとなっているが、排水孔１１ｂの大部分は上記長方形状である。同様に、三角形状平板部１２の外周縁部に配置される排水孔１２ｂは三角形状等、三角状平板部１２の等辺（斜辺）の傾斜に沿った異形のものとなっているが、排水孔１２ｂの大部分は上記長方形状である。そして、台形状平板部１１及び三角形状平板部１２を互いに折り曲げて、図７〜図１０に示すような前記中空略三角柱状に組立てて園芸容器の底壁に載置したときに、台形状平板部１１の全ての排水孔１１ｂ及び三角形状平板部１２の全ての排水孔１２ｂが上下方向に延びるよう配置される。これにより、使用時に、四面の全体で上下に延びる多数の長方形状の排水孔により、上方から下方に流れる水を円滑に排水でき、同一面積であっても排水孔率を高くすることができる。一方、長縁部２１の排水孔２１ｂは、台形状平板部１１の排水孔１１ｂの長さと同様の幅及び長さを有する略正方形をなし、短縁部２２の排水孔２２ｂは、三角形状平板部１２の排水孔１２ｂの長さと同様の幅を有する横長長方形状をなす。
【００１４】
本実施の形態の園芸容器用底敷は、前記係止部として、各三角形状平板部１２の接合用等辺１２ｘ（一対の等辺のうち台形状平板部１１に接合された等辺）と相対する等辺である係止用等辺１２ｙと、当該三角形状平板部１２の係止用等辺１２ｙが対向すると共に台形状平板部１１の接合用対辺１１ｘと隣接する対辺である係止用対辺１２ｙとに、雄雌の関係で互いに係止自在な雄側係止部３１及び雌側係止部３２をそれぞれ一体形成している。具体的には、係止部は、三角形状平板部１２の係止用等辺１２ｙに所定間隔で一体形成された雄側係止部３１と、台形状平板部１１の係止用対辺１１ｙにおいて雄側係止部３１と対応する位置に同一の所定間隔で一体形成された雌側係止部３２とからなる。雄側係止部３１は、軸部３１ａ及び頭部３１ｂを同軸状に一体形成している。軸部３１ａは、台形状平板部１１及び三角形状平板部１２の厚みより若干大きい直径の円柱状をなし、三角形状平板部１２の係止用等辺１２ｙから同一平面内で略直交して、三角形状平板部１２の厚みより若干大きい長さで突出する。頭部３１ｂは、軸部３１ａの先端に一体形成された（軸部３１ａより）大径の円板状をなす。一方、雌側係止部３２は、台形状平板部１１の厚みと略同一厚みの小チャンネル板状をなし、台形状平板部１１の係止用対辺１１ｙから同一平面内で略直交して、台形状平板部１１の厚みより若干大きい長さで突出すると共に、雄側係止部３１の軸部３１ａの直径と略同一径の円弧状（半円状）の開口３２ａを有している。
【００１５】
本実施の形態の園芸容器用底敷は、一対の台形状平板部１１を互いに接近するよう折り曲げると共に、一対の三角状平板部１２を対応する台形状平板部１１に接近するよう折り曲げ、三角状平板部１２の雄側係止部３１を対応する台形状平板部１１の対向する雌側係止部３２に係止することにより、台形状平板部１１及び三角状平板部１２を、両底面を対称に傾斜させて傾斜面とし、かつ、一対の台形状平板部１１の下底及び一対の三角形状平板部１２の底辺間に矩形状の開口１５を形成する中空略三角柱状に組立自在としている。このとき、両台形状平板部１１を三角形状平板部１２の頂点の内角と略同一角度に折り曲げると共に、各三角形状平板部１２を対応する台形状平板部１１に向かって折り曲げて接合するときに、雄側係止部３１の軸部３１ａが対応する雌側係止部３２の円弧状の開口３２ａ内に挿着されると共に、雄側係止部３１の円板部３１ｂが対応する雌側係止部３２の円弧状の開口３２ａの外側面周縁に掛止されて、三角形状平板部１２が対応する台形状平板部１１に着脱自在に接合されるようになっている。また、上記のように、台形状平板部１１及び三角形状平板部１２を互いに折り曲げて前記中空略三角柱状に組立てたときに、台形状平板部１１及び三角形状平板部１２に対して長縁部２１及び短縁部２２を外側に折り曲げ、長縁部２１及び短縁部２２により園芸容器の底壁に当接乃至密接して載置自在な支持板部を形成自在としている。更に、本実施の形態の園芸容器用底敷は、組立時において前記両台形状平板部１１及び両三角形状平板部１２の下縁間に形成される前記矩形状の開口１５（図１０参照）が、大型の園芸容器（植木鉢やプランタ）の底壁の水抜き孔の外側を完全に包囲するよう、台形状平板部１１及び三角形状平板部１２の寸法を設定している。これにより、本実施の形態の園芸容器用底敷は、大型の植木鉢やプランタ等の園芸容器に使用する場合でも、最低限の材料量で成形することができ、材料コストを低減できると共に、平面的に成形することができ、成形コストをも低減することができる一方、園芸容器内部の土からの排水効率を高め、かつ、植栽した植物の根系への外気供給効率を従来と比較して大幅に増大することができる。
【００１６】
ここで、図１〜図６に示すように、台形状平板部１１及び三角形状平板部１２を同一平面に展開した状態で、三角形状平板部１２の最も頂点側の雄側係止部３１の頭部３１ｂが、両台形状平板部１１間の境界線の延長線上に位置するよう、三角形状平板部１２の頂点の内角を台形状平板部１１の上底の頂点の外角より所定角度小さい角度としている。こうすると、雄側係止部３１が、両台形状平板部１１の境界線の延長線から突出することがないため、展開状態の園芸容器用底敷を射出成形で成形する場合に、成形型の形成が容易で、かつ、型抜き等の成形作業も非常に円滑に行うことができる。特に、上記のように、本実施の形態では、一対の台形状平板部１１、一対の三角形状平板部１２、一対の長縁部２１及び一対の短縁部２２を、両台形状平板部１１の境界線の中心点について点対称、即ち、回転対称に配置した状態で一体成形することになるため、成形型の形成がより一層容易になり、かつ、型抜き等の成形作業もより一層円滑に行うことができる。また、かかる対称配置により、展開状態の一対の台形状平板部１１及び一対の三角形状平板部１２を上記略三角柱形状に組み立てるときに、一対の台形状平板部１１を折り曲げると共に、一対の三角形状平板部１２をそれぞれの手指により把持して対称方向に接近させて台形状平板部１１に係止接合することができ、一連の円滑な手順で迅速に組立作業を完了することができる。また、このとき、特に位置調節をしなくても、雄側係止部３１の軸部３１ａが対応する雌側係止部３２の開口３２ａに円滑に挿着され、雄側係止部３１の頭部３１ｂが雌側係止部３２に掛止されて組立作業が完了する。
【００１７】
また、三角形状平板部１２の頂点の内角は、突起部組立時の両台形状平板部１１の交差角度（頂角）を規定するものであり、この交差角度は、５０〜６０度とすることが好ましい。よって、三角形状平板部１２の頂点の内角は、例えば、好ましくは５０〜６０度の範囲、更に好ましくは約５５度に設定する。即ち、この場合、組立時の台形状平板部１１の水平面に対する傾斜角度は、三角形状平板部１２の底角の角度と同一角度（｛１８０度−頂角（５０〜６０度）｝／２＝６０〜６５度）となり、両台形状平板部１１の排水孔１１ｂを介して、園芸容器の内部に充填した土からの排水及び外部空気の供給を最適な状態で行うことができる。そして、上記のように、台形状平板部１１及び三角形状平板部１２を同一平面に展開した状態で、三角形状平板部１２の最も頂点側の雄側係止部３１の頭部３１ｂが、両台形状平板部１１間の境界線の延長線上に位置するよう、三角形状平板部１２の頂点の内角を台形状平板部１１の上底の頂点の外角より所定角度小さい角度とした場合、三角形状平板部１２の頂点の内角、即ち、突起部組立時の両台形状平板部１１の交差角度（頂角）は、前記好適範囲（５０〜６０度または約５５度）となる。一方、台形状平板部１１の下底の頂点の内角は、突起部組立時の三角形状平板部１２の傾斜角度を規定するが、かかる内角も、例えば、好ましくは６０〜７０度の範囲、更に好ましくは約６５度に設定する。こうすると、三角形状平板部１２の傾斜角度も同一角度となり、両三角形状平板部１２の排水孔１２ｂを介して、園芸容器の内部に充填した土からの排水及び外部空気の供給を最適な状態で行うことができる。
【００１８】
上記のように構成した本実施の形態の園芸容器用底敷は、上記平板形状乃至平面形状となるよう、射出成形等によりプラスチック材料等を使用して一体成形することができる。また、園芸容器用底敷は、組立時に、一対の台形平板部１１及び一対の三角形平板部１２により構成される突起部の四方の側面が全て傾斜面となり、排水効率が向上する。また、本実施の形態の園芸用容器は、非使用時には両台形状平板部１１、両三角形状平板部１２、両長縁部２１及び両短縁部２２を全て展開した平面形状とすることにより、非常に小さなスペースで容易に梱包、運搬、保管等することができる一方、使用時には、上記中空略三角柱状に簡単かつ迅速に組み立てて、上記のような最適な排水効率及び外気供給効率を発揮することができる。なお、展開状態の園芸容器用底敷は、設置対象の園芸用容器の底壁より小さく、かつ、底壁の水抜き穴より大きい寸法の平面形状乃至孔開き平板形状に成形される。また、園芸容器用底敷は、使用時には、園芸容器の底壁の水抜き孔の外側を完全に包囲する中空立体形状に折畳んで組立自在とされ、大型の植木鉢やプランタ等のように底壁の水抜き孔が複数ある場合、単一の園芸容器用底敷によりそれら複数の水抜き孔を全て包囲することができ、経済的である。更に、上記実施の形態の園芸容器用底敷は、雌側係止部３２の開口３２ａの底部（最奥位置）が、台形状平板部１１の対辺（斜辺）と同一線上に配置されている。よって、突起部の組立時に三角形状平板部１２の係止用等辺１２ｙと台形状平板部１１の係止用対辺１１ｙとの接合線が完全に一致して略密接することとなり、三角形状平板部１２と台形状平板部１１との接合境界線部分の隙間を少なくすることができる。
【００１９】
ところで、本発明の園芸容器用底敷は、台形状平板部、三角形状平板部及び係止部を備える限りにおいて、上記実施の形態の構成に限定するものではなく、他の構成で具体化することもできる。例えば、長縁部または短縁部を省略した構成としたり、係止部の係止構造を他の構造（他の雄雌構造、面ファスナー等）に変更したりすることも可能である。また、三角形状平板部を台形状平板部の境界線に対して反対側に配置して上記対称配置とする以外に、台形状平板部の境界線に対して同一側に配置することもできる。また、雄側係止部を台形状平板部に形成し、雌側係止部を三角形状平板部に形成してもよい。更に、本発明の園芸容器用底敷は、長縁部を台形状平板部１１に対して内側に折り曲げ自在とすると共に、前記長縁部を組立状態の台形状平板部１１及び三角形状平板部１２間に形成される前記矩形状の開口１５の矩形状と略同一の矩形板状に形成し、前記長縁部を外側に折り曲げることにより前記支持板部として使用自在とすると共に、前記長縁部を内側に折り曲げて組立状態の台形状平板部１１及び三角形状平板部１２間に形成される前記矩形状の開口１５の全体を閉塞する閉塞板部として使用自在としてもよい。
【図面の簡単な説明】
【００２０】
【図１】図１は本発明の実施の形態に係る園芸容器用底敷の展開状態を示す平面図である。
【図２】図２は本発明の実施の形態に係る園芸容器用底敷の展開状態を示す底面図である。
【図３】図３は本発明の実施の形態に係る園芸容器用底敷の展開状態を示す側面図である。
【図４】図４は本発明の実施の形態に係る園芸容器用底敷の展開状態を示す正面図である。
【図５】図５は図１のＡ−Ａ線端面図である。
【図６】図６は図１のＢ−Ｂ線端面図である。
【図７】図７は本発明の実施の形態に係る園芸容器用底敷の組立状態を示す平面図である。
【図８】図８は本発明の実施の形態に係る園芸容器用底敷の組立状態を示す正面図である。
【図９】図９は本発明の実施の形態に係る園芸容器用底敷の組立状態を示す側面図である。
【図１０】図１０は本発明の実施の形態に係る園芸容器用底敷の組立状態を示す底面図である。
【符号の説明】
【００２１】
１１  台形状平板部、１１ｂ  排水孔、１１ｘ  接合用対辺、１１ｙ  係止用対辺
１２  三角形状平板部、１２ｂ  排水孔、１２ｘ  接合用対辺、１２ｙ  係止用対辺
１５  矩形状の開口
２１  長縁部、２１ｂ  排水孔、２２  短縁部、２２ｂ  排水孔
３１  雄側係止部、３１ａ  軸部、３１ｂ  頭部、３２  雌側係止部、３２ａ  開口
【図１】
2007166937.tif 000003
【図２】
2007166937.tif 000004
【図３】
2007166937.tif 000005
【図４】
2007166937.tif 000006
【図５】
2007166937.tif 000007
【図６】
2007166937.tif 000008
【図７】
2007166937.tif 000009
【図８】
2007166937.tif 000010
【図９】
2007166937.tif 000011
【図１０】
2007166937.tif 000012